(57)【要約】【課題】本発明は、エレベータの昇降路の天井下に設けられる巻上機と天井との距離が近い場合でも、巻上機据付台まで巻上機を揚重できる巻上機取付装置を提供する。【解決手段】巻上機取付装置１は、巻上機揚重治具１０とブラケット２０と揚重機器３０，４０と滑車５０とを備える。巻上機揚重治具１０は、巻上機５の底面５ａに固定する。巻上機揚重治具１０の一端に設けられる回動シャフト１４は、ブラケット２０に設けられる回動受部２１に枢支される。回動シャフト１４寄りの巻上機揚重治具１０に第１吊部１５が設けられ、回動軸Ａの半径方向に第１吊部１５よりも離れた位置の巻上機揚重治具１０に第２吊部１６を設ける。ウインチ３０は、第１吊部１５にフック３２を掛けて巻上機揚重治具１０を揚重し、第２吊部１６にフック４２を掛けて回動軸Ａを中心に巻上機揚重治具１０を回動させる。【選択図】      図１
2006062768.tif 000002
【特許請求の範囲】
【請求項１】
エレベータの昇降路の天井下に設けられる巻上機据付台に前記エレベータの巻上機を揚重する巻上機取付装置において、
前記巻上機の底面に装着面を当てて固定される巻上機揚重治具と、
前記装着面に対して前記巻上機と反対側に離れた位置の前記巻上機揚重治具の一端に設けられる回動支持部と、
前記巻上機据付台の設置面よりも低い位置で前記回動支持部を枢支する回動受部を有するブラケットと、
前記巻上機揚重治具の前記回動支持部側に設けられて前記回動支持部の回動軸が鉛直方向を横切る向きに前記巻上機揚重治具を吊り下げる第１吊部と、
前記回動支持部の回動軸の半径方向に前記第１吊部よりも遠くかつ前記装着面に取り付けられる前記巻上機の上面から底面側に離れた位置の前記巻上機揚重治具に設けられる第２吊部と、
前記回動支持部と前記回動受部とが枢支される位置まで前記巻上機揚重治具を揚重する場合に第１吊部にフックを掛け、前記回動支持部と前記回動受具とが枢支された状態で前記巻上機揚重治具を前記回動支持部の回動軸を中心に回動させる場合に前記第２吊部にフックを掛ける揚重機器と、
前記回動受部よりも上方に配置されて前記第１吊部に掛けられる前記揚重機器のフックから延びるワイヤロープを掛ける滑車と
を備えることを特長とする巻上機取付装置。
【請求項２】
前記回動支持部は、回動軸と同軸に配置されて前記回動受部に枢支される回動シャフトを備えることを特徴とする請求項１に記載の巻上機取付装置。
【請求項３】
前記ブラケットは、前記回動受部に前記回動シャフトを案内する切欠部と、前記回動受部に挿入された前記シャフトが前記切欠部を通過することを妨げる脱落防止片とを備えることを特徴とする請求項２に記載の巻上機取付装置。
【請求項４】
前記ブラケットは、前記巻上機据付台に固定されることを特徴とする請求項１に記載の巻上機取付装置。
【請求項５】
前記滑車は、前記ブラケットに固定されることを特長とする請求項１に記載の巻上機取付装置。
【請求項６】
前記回動支持部は、前記回動受部に枢着される回動片と連結されることを特徴とする請求項１に記載の巻上取付装置。
【請求項７】
前記巻上機揚重治具は、
前記回動支持部の回動軸から前記装着面までの距離を前記回動軸から前記設置面までの距離に比べて大きくする巻上機取付位置と、
前記回動支持部の回動軸から前記装着面までの距離を前記回動軸から前記設置面までの距離に比べて小さくする巻上機取外位置と
に変化させる調整機構を備えることを特徴とする請求項１に記載の巻上機取付装置。
【請求項８】
前記巻上機揚重治具は、前記装着面を形成する巻上機固定梁と、前記回動支持部が設けられる回動梁とを有し、前記調整機構は、前記巻上機固定梁と前記回動梁との間にスペーサを挿入して前記回動軸と前記装着面との距離を変化させることを特徴とする請求項７に記載の巻上機取付装置。
【請求項９】
前記巻上機揚重治具は、前記装着面を形成する巻上機固定梁と、前記巻上機を前記巻上機据付台に移動させる方向に沿って前記巻上機固定梁から立ち上がるガイドとを備えることを特徴とする請求項１に記載の巻上機取付装置。
【請求項１０】
前記揚重機器は、
前記回動受部よりも下方の前記昇降路内部に設けられる第１吊元に一端側フックが掛止され、前記第１吊部に他端側フックが掛止される第１揚重状態と、
前記回動受部よりも上方の前記昇降路内部に設けられる第２吊元に一端側フックが掛止され、前記第２吊部に他端側フックが掛止される第２揚重状態と
に取り付けられる揚重機を備えることを特徴とする請求項１に記載の巻上機取付機構。
【請求項１１】
前記揚重機は、第１揚重状態で使用された後、前記第１揚重状態に掛け換えられることを特徴とする請求項１０に記載の巻上機取付装置。
【請求項１２】
前記揚重機器は、前記第１揚重状態に取り付けられる第１揚重機と、前記第２揚重状態に取り付けられる第２揚重機とを備えることを特徴とする請求項１０に記載の巻上機取付装置。
【請求項１３】
エレベータの昇降路の天井下に設けられる巻上機据付台の上に揚重機と巻上機揚重治具とを用いて前記エレベータの巻上機を揚重する巻上機取付方法において、
前記巻上機の底面に前記巻上機揚重治具の装着面を当接させて前記巻上機と前記巻上機揚重治具とを固定する治具装着工程と、
前記巻上機の高さを超えない範囲で前記巻上機揚重治具の一端に設けられる第１吊部に前記揚重機のフックを掛けて前記巻上機据付台まで吊上げる揚重工程と、
前記装着面に対してこの装着面に取り付けられた巻上機と反対側に離れた位置の前記巻上機揚重治具の前記一端に設けられる回動支持部を、前記巻上機据付台の設置面よりも低い位置でブラケットの回動受部に枢支させる嵌合工程と、
前記装着面に取り付けられた巻上機の上面を超えない位置で前記巻上機揚重治具の他端側に設けられる第２吊部に前記揚重機のフックを掛けて前記回動支持部の回動軸を中心として前記巻上機を揚重する方向に前記巻上機揚重治具を回動させる回動工程と、
前記巻上機を前記巻上機揚重治具から前記巻上機据付台の上に移動させる移動工程と
を備えることを特徴とする巻上機取付方法。
【請求項１４】
前記揚重機は、前記揚重工程と前記回動工程とでそれぞれに用意されることを特徴とする請求項１３に記載の巻上機取付方法。
【請求項１５】
前記揚重機は、前記揚重工程で使用された後で前記回動工程に使用されることを特徴とする請求項１３に記載の巻上機取付方法。
【請求項１６】
前記第１吊元は、前記回動受部よりも低い位置に設けられ、
前記第１吊部に掛けられる前記他端側フックから延びる前記揚重機のワイヤロープは、前記回動受部より上方で折り返されて前記回動受部よりも下方に案内する滑車に掛けられることを特徴とする請求項１３に記載の巻上機取付方法。
【請求項１７】
前記巻上機揚重治具は、前記巻上機が固定される装着面を有する巻上機固定梁と、前記回動支持部が設けられる回動梁とを有し、
前記巻上機を前記巻上機揚重治具から前記巻上機据付台へ移動させる場合は、前記巻上機固定梁と前記回動梁との間の距離を広げて前記巻上機揚重治具の前記装着面を前記巻上機据付台の設置面よりも高くし、
前記巻上機を前記巻上機据付台から前記巻上機揚重治具へ移動させる場合は、前記巻上機固定梁と前記回動梁との間の距離を狭めて前記巻上機揚重治具の前記装着面を前記巻上機据付台の設置面よりも高くすることを特徴とする請求項１０に記載の巻上機取付方法。
【発明の詳細な説明】
【技術分野】
【０００１】
本発明は、昇降路の天井下に巻上機が配置されるエレベータの設置工事において使用される巻上機取付装置およびこれを使用する巻上機取付方法に関する。
【背景技術】
【０００２】
エレベータの昇降路の天井の直下に巻上機が配置される機械室無しエレベータがある。このようなエレベータの巻上機を昇降路内に設置する場合、巻上機を吊上げるための揚重吊元となる滑車は、巻上機を設置すべき場所の直上部に設けられる。滑車に掛けられたワイヤロープの一端は、巻上機の上部に締結され、他端は、チェーンブロックの上フックに掛けられる。チェーンブロックの下フックは、昇降路内に設けられる固定部に掛けられる。巻上機は、チェーンブロックを操作することによって、巻上機設置位置まで揚重され、載置および固定される。
【０００３】
また、おもり枠または専用治具とこれを案内するガイドレールとを利用して巻上機を昇降路上部に揚重するエレベータ巻上機の据付装置がある（例えば、特許文献１参照。）。この据付装置は、荷上げ体と揚重機とを備える。荷上げ体は、ガイドレールに沿って滑走する、またはおもり枠に取り付けられる。荷上げ体には、巻上機が搭載され、下部に揚重吊元が設けられ，揚重機から延びるワイヤロープの先端のフックが掛けられる。揚重機を天井近傍に設置して巻上機を直接吊上げる場合と、巻上機を昇降路の下部に設け、昇降路の天井部に設けた滑車を介して巻上機を吊上げる場合が特許文献１に開示されている。
【特許文献１】特開２０００−３４０７２号公報
【発明の開示】
【発明が解決しようとする課題】
【０００４】
機械室なしのエレベータを採用することは、建屋の高さを低くできること、および建屋の外観をよくできることが利点である。しかしながら前者の方法では、巻上機の上に少なくとも滑車を設置できる程度のスペースを必要とする。また、巻上機の上から昇降路天井までの距離が極端に近く滑車を取り付けることができない場合、前者の方法は、採用することができない。
【０００５】
これに対して、特許文献１に記載されている後者の方法では、巻上機の上から昇降路の天井までの距離が近くても巻上機を揚重することができる。しかし、巻上機の据付位置がガイドレールから離れていると、ガイドレールから巻上機据付位置に届く大きさの荷上げ体が必要となる。その結果、巻上機を乗せた荷上げ体を吊上げるための揚重機およびこれに耐える吊元を備える必要が生じ、据付装置が大型化する。
【０００６】
そこで、本発明は、エレベータの昇降路の天井下に設けられる巻上機と天井との距離が近く、巻上機の直上に吊元を配置できない場合でも、巻上機を据付ける配置によらずに巻上機据付台まで巻上機を揚重することができる巻上機取付装置、および巻上機取付方法を提供することを目的とする。
【課題を解決するための手段】
【０００７】
本発明に係る巻上機取付装置は、エレベータの昇降路の天井下に設けられる巻上機据付台にエレベータの巻上機を揚重することを前提とする。巻上機取付装置は、巻上機揚重治具と回動支持部とブラケットと第１吊部と第２吊部と揚重機器と滑車とを備える。巻上機揚重治具は、巻上機の底面に装着面を当てて固定する。回動支持部は、装着面に対して巻上機と反対側に離れた位置の巻上機揚重治具の一端に設ける。ブラケットは、巻上機据付台の設置面よりも低い位置で回動支持部を枢支する回動受部を有する。第１吊部は、巻上機揚重治具の回動支持部側に設け、回動支持部の回動軸が鉛直方向を横切る向きに巻上機揚重治具を吊り下げる。第２吊部は、回動支持部の回動軸の半径方向に第１吊部よりも遠くかつ装着面に取り付けられる巻上機がの上面から底面側に離れた位置の巻上機揚重治具に設ける。揚重機器は、回動支持部と回動受部とが枢支される位置まで巻上機揚重治具を揚重する場合に第１吊部にフックを掛け、回動支持部と回動受具とが枢支された状態で巻上機揚重治具を回動支持部の回動軸を中心に回動させる場合に第２吊部にフックを掛ける。滑車は、回動受部よりも高い位置に配置されて第１吊部に掛けられる揚重機器のフックから延びるワイヤロープが掛けられる。
【０００８】
本発明に係る巻上機取付方法は、エレベータの昇降路の天井下に設けられる巻上機据付台の上に揚重機と巻上機揚重治具とを用いてエレベータの巻上機を揚重する事を前提とする。巻上機取付方法は、治具装着工程と、揚重工程と、嵌合工程と、回動工程と、移動工程とを有する。治具装着工程では、巻上機の底面に巻上機揚重治具の装着面を当接させて巻上機と巻上機揚重治具とを固定する。揚重工程では、巻上機の高さを超えない範囲で巻上機揚重治具の一端に設けられる第１吊部に揚重機のフックを掛けて巻上機据付台まで吊上げる。嵌合工程では、装着面に対してこの装着面に取り付けられた巻上機と反対側に離れた位置の巻上機揚重治具の一端に設けられる回動支持部を、巻上機据付台の設置面よりも低い位置でブラケットの回動受部に枢支させる。回動工程では、装着面に取り付けられた巻上機の上面を超えない位置で巻上機揚重治具の他端側に設けられる第２吊部に揚重機のフックを掛けて回動支持部の回動軸を中心として巻上機を揚重する方向に巻上機揚重治具を回動させる。移動工程では、巻上機を巻上機揚重治具から巻上機据付台の上に移動させる。
【０００９】
なお、本命載書中において、昇降路の鉛直方向について上に昇る方向を「高い」、下に降りる方向を「低い」と表現するものとする。
【発明の効果】
【００１０】
本発明に係る巻上機取付装置によれば、巻上機の底面に取り付けられる巻上機揚重治具は、装着面に対して巻上機と反対側に離れた一端側に回動支持部および第１吊部を有し、回動支持部から第１吊部よりも遠くかつ装着面に取り付けられた巻上機の上面から底面側に離れた位置に第２吊部を有している。巻上機取付装置は、第１吊部に揚重機器のフックを掛けて巻上機揚重治具を揚重し、回動支持部が回動受部に枢支された後、第２吊部に揚重機器のフックを掛けて昇降路の天井に向かう方向に巻上機揚重治具を揚重することで、巻上機揚重治具の装着面が水平になるまで回動させる。第１吊部および第２吊部は、巻上機揚重治具に取り付けられた巻上機の上面から底面側に離れた位置、つまり、巻上機据付台に設置される状態の巻上機の上面よりも低い位置に配置されている。
【００１１】
この結果、巻上機取付装置は、巻上機揚重治具を回動させることで、回動軸よりも上に巻上機を押し上げることができる。したがって、エレベータの昇降路の天井下に設けられる巻上機と天井との間に揚重機器を配置する距離が十分になく、揚重用の吊元を配置できない場合でも、巻上機の水平方向の配置によらず昇降路の天井下に設けられる巻上機据付台に巻上機を揚重することができる。
【発明を実施するための最良の形態】
【００１２】
本発明に係る一実施形態の巻上機取付装置について、図１から図９を参照して説明する。図１に示す巻上機取付装置１は、エレベータの昇降路２の天井３下の設けられる巻上機据付台４にこのエレベータの巻上機５を揚重するものであり、巻上機揚重治具１０とブラケット２０とウインチ３０とチェーンブロック４０と滑車５０とを備えている。図１に示す巻上機揚重治具１０は、巻上機据付台４に対して巻上機５を移し変えることのできる姿勢に位置決めされた状態である。
【００１３】
巻上機揚重治具１０は、図２に示すように、巻上機固定梁１１と中間梁１２と回動梁１３と回動シャフト１４と第１吊部１５と第２吊部１６とを備える。巻上機固定梁１１は、巻上機５の底面５ａに当てて固定される装着面１１ａを有している。また、巻上機固定梁１１は、巻上機５を巻上機据付台４側にスライド移動させる方向に沿って立ち上がるガイド１１ｂを有している。このガイド１１ｂは、巻上機５を巻上機据付台４に移し変える際に巻上機５が巻上機揚重治具１０から滑り落ちることを防止する。また、巻上機５を巻上機据付台４に移動させる方向と逆方向の巻上機固定梁１１の端部には、エンドプレート１７が取り付けられている。エンドプレート１７は、巻上機５が巻上機据付台４と離れる方向に巻上機揚重治具１０から脱落することを防止している。
【００１４】
中間梁１２は、巻上機固定梁１１および回動梁１３に挟まれてこれらと直交する方向に配置されている。中間梁１２と回動梁１３との間には、巻上機据付台４の設置面４ａに対して装着面１１ａの高さを調整する調整機構としてのスペーサ１８が必要に応じて挿入される。スペーサ１８の厚さや挿入する枚数を変えることによって、設置面４ａに対する装着面１１ａの高さを変えることができる。回動梁１３は、巻上機固定梁１１と互いに平行に配置され、巻上機固定梁１１の下方から中間梁１２を挟んでボルトで連結されている。回動梁１３は、回動支持部となる回動シャフト１４を一端に備える。したがって、回動シャフト１４は、装着面１１ａに対して巻上機５と反対側に離れた位置に配置されている。巻上機固定梁１１、中間梁１２、回動梁１３は、それぞれ矩形に折り曲げられた矩形チャンネル材で構成されている。
【００１５】
第１吊部１５は、回動シャフト１４側、つまり回動支持部側の中間梁１２の中央部に設けられている。第１吊部１５は、回動シャフト１４の回動軸Ａが鉛直方向を横切る向きに巻上機揚重治具１０を吊り下げる。この場合、回動軸Ａが水平になることが好ましい。第２吊部１６は、回動シャフト１４の他端側を互いに連結する横梁１９のほぼ中央部に設けられている。これにより、第２吊部１６は、回動シャフト１４の回動軸Ａの半径方向に第１吊部１５よりも遠く、かつ装着面１１ａに取り付けられる巻上機５の上面５ｂから底面５ａ側に離れた位置に設けられることとなる。
【００１６】
ブラケット２０は、巻上機据付台４の側面４ｂにボルトで締結されており、巻上機据付台４の設置面４ａよりも低い位置で回動シャフト１４を枢支する回動受部２１を有している。また、ブラケット２０は、回動受部２１に回動シャフト１４を案内する切欠部２２が設けられている。切欠部２２には、図４に示すように、回動受部２１に挿入された回動シャフト１４が回動受部２１から外れることを防止する脱落防止片２３が取り付けられる。なお、脱落防止片２３は、回動シャフト１４が切欠部２２を通過することを妨げればよいので、プレート状のものを渡さずに、図４に示すような脱落防止片２３を固定しているアイボルト２４のみを取り付けて、切欠部２２を回動シャフト１４が通過しないようにするだけでもよい。
【００１７】
回動シャフト１４が回動受部２１に装着されることによって、巻上機揚重治具１０は、巻上機５が取り付けられた状態で、図３に示すように、第１吊部１５側(回動支持部側)を枢支されてブラケットにぶら下がった状態から、巻上機を昇降路の天井に向かって押し上げ、装着面１１ａを巻上機据付台４の設置面４ａと平行に位置決めすることができる。
【００１８】
ウインチ３０およびチェーンブロック４０は、揚重機器を構成する揚重機の一例である。ウインチ３０は、第１揚重状態で使用される第１揚重機の一例であって、図１と、図６から図８に示すように、昇降路２内で回動受部２１よりも下方に設けられる第１吊元６に一端側フック３１が掛止され、巻上機揚重治具１０の第１吊部１５に他端側フック３２が係止されている。
【００１９】
チェーンブロック４０は、第２揚重状態で使用される第２揚重機の一例であって、図１、図８および図９に示すように、昇降路２内で回動受部２１よりも上方、本実施形態においては昇降路２の天井３に設けられる第２吊元７に一端側フックとなる上フック４１が掛けられ、巻上機揚重治具１０の第２吊部１６に他端側フックとなる下フック４２が掛けられる。
【００２０】
滑車５０は、ブラケット２０に固定されて回動受部２１よりも上方、本実施形態では巻上機据付台４の設置面４ａよりも上方に配置されている。第１吊部１５に掛けられた他端側フック３２から延びるワイヤロープ３２ａは、滑車５０に掛けられている。また、巻上機据付台４の設置面４ａが設けられる部材には、巻上機揚重治具１０が配置される側から遠い縁に当り止４ｃめが設けられており、巻上機５が巻上機揚重治具１０から移される際に設置位置を越えて行き過ぎることを防止する。
【００２１】
図２から図４および図６から図９においては、巻上機揚重治具１０の回動支持部とブラケット２０の回動受部との掛合部は、切欠部２２を有する回動受部２１に回動シャフト１４を掛合させる形態を例にして説明したが、他の形態であってもよい。例えば、図５に示すように、ブラケット２０に回動機構２５を設ける。この回動機構２５は、巻上機揚重治具１０の一端側と締結するためのボルト穴２６ａを有した回動片２６と、この回動片２６を枢着する回動受部２７とを備える。巻上機揚重治具１０は、回動片２６と連結されることでブラケット２０の回動受部２１を中心に回動可能となる。なお、ブラケット２０に回動機構２５を設ける代わりに、巻上機揚重治具１０にこれと同様の回動機構を設け、回動片をブラケット２０と連結させてもよい。
【００２２】
また、図１および図６から図９において、揚重機器としての揚重機にウインチ３０やチェーンブロック４０を適用した例を示したが、ウインチ３０やチェーンブロック４０に備わるワイヤロープ３１ａ，３２ａやチェーン４２ａの長さが足りない場合は、フックの先にワイヤスリングやチェーンスリングを足して使用する。また、第１揚重機にウインチ３０を使用し、第２揚重機にチェーンブロック４０を使用する例を示したが、第１揚重機にチェーンブロック４０を使用してもよいし、第２揚重機にウインチ３０を使用してもよい。
【００２３】
次に、図１に示した巻上機取付装置１を使用して昇降路２の天井３下に巻上機５を設置する方法について、図６から図９を参照して説明する。エレベータの巻上機５を昇降路２の巻上機据付台４に設置するにあたり、巻上機揚重治具１０は、ブラケット２０から外された状態である。ブラケット２０は、巻上機据付台４の側面４ｂに固定されている。滑車５０は、ブラケット２０の上縁２０ａに固定されて巻上機据付台４の上に配置された状態である。ウインチ３０の他端側フック３２に繋がるワイヤロープ３２ａは、滑車５０に掛けられている。
【００２４】
巻上機取付方法は、治具取付工程と、揚重工程と、嵌合工程と、回動工程と、移動工程とを有する。治具取付工程において巻上機揚重治具１０は、巻上機５の底面５ａに取り付けられる。この治具取付工程は、工場出荷前に行ってもよいし、現地で行ってもよい。巻上機５の上面５ｂに設けられたボルト穴にアイボルト５ｃが取り付けられ、巻上機揚重治具１０は、このアイボルト５ｃを使って、エレベータホール８に仮設されるチェーンブロック８０などの揚重装置によって巻上機５とともに吊上げられる。
【００２５】
揚重工程では、昇降路２の第１吊元６に一端側フック３１が掛けられたウインチ３０の他端側フック３２が、巻上機揚重治具１０の第１吊部１５に掛けられる。ウインチ３０を作動させてワイヤロープ３２ａを巻き取るとともにエレベータホール８側のチェーンブロック８０を操作してチェーン８１を緩めると、図６および図７に示すように巻上機５が取り付けられた巻上機揚重治具１０は、第１吊部１５が上になるように傾倒しながら昇降路２内に搬入される。さらに、図７に示すように、ウインチ３０のみで巻上機揚重治具１０を吊れるようになったら、巻上機５の上面５ｂに取り付けられていたアイボルト５ｃごとエレベータホール８から張っていたチェーン８１を外す。巻上機揚重治具１０は、巻上機据付台４までウインチ３０でさらに吊上げられる。エレベータホール８に設置される揚重装置は、チェーンブロック８０の他にホイスト、ウインチ、レバーブロックなどを使用してもよい。
【００２６】
巻上機揚重治具１０の回動シャフト１４がブラケット２０の回動受部２１の高さまで揚重されると、図８に示すように、天井３に設けられた第２吊元６に上フック４１で吊るされたチェーンブロック４０の下フック４２が、第２吊部１６に掛けられる。なお、第２吊部１６から延びるチェーン４２ａが巻上機５にあたるので、当該部には、マット４３やウエスなどを挟む。
【００２７】
嵌合工程は、ウインチ３０とチェーンブロック４０で巻上機揚重治具１０を共吊りしている状態からウインチ３０とチェーンブロック４０とを協動させて行われる。嵌合工程によって、回動シャフト１４が切欠部２２を通って回動受部２１に装着された後、切欠部２２には、図４に示すように、脱落防止片２３が取り付けられる。ウインチ３０および滑車５０は、脱落防止片２３が取り付けられた後、取り外される。嵌合工程は、巻上機揚重治具１０に設けられた回動シャフト１４をブラケット２０の回動受部２１に装着することで行われるので、作業が容易である。なお、嵌合工程は、ウインチ３０の操作と、作業員によって水平方向に巻上機揚重治具１０を付勢することで、行われてもよい。この場合、嵌合工程においてチェーンブロック４０は、不要となる。また、回動シャフト１４をブラケット２０側に設け、回動受部２１を巻上機揚重治具１０側に設けてもよい。
【００２８】
回動工程では、チェーンブロック４０を操作することで回動受部２１に装着されている回動シャフト１４の回動軸Ａを中心に巻上機５が取り付けられた巻上機揚重治具１０を図３に示す矢印方向に回動させる。この結果、巻上機５は、巻上機揚重治具１０によって第１吊部１５および第２吊部１６よりも高い位置に押し上げられる。
【００２９】
移動工程では、巻上機据付台４の設置面４ａと、巻上機揚重治具１０の装着面１１ａとがほぼ平行になる状態で行われる。巻上機揚重治具１０は、装着面１１ａが水平になった状態で維持され、巻上機５を固定しているボルトが外される。この場合、巻上機揚重治具１０の巻上機固定梁１１と回動梁１３との間、具体的には、中間梁１２と回動梁１３との間に挿入されるスペーサ１８によって、装着面１１ａは、設置面４ａと同じかそれよりも少し高く設定されている。
【００３０】
したがって、巻上機揚重治具１０側から巻上機据付台４側に巻上機５をスライド移動させやすい。また、巻上機５は、巻上機揚重治具１０の巻上機固定梁１１に設けられるガイド１１ｂによって案内されているので、移動途中でずれてしまうことを防止することができる。なお、移動工程は、チェーンブロック４０での吊りきりで作業を行ってもよいし、巻上機揚重治具１０を例えばブラケット２０などと連結するサポートなどをさらに設けることも好ましい。
【００３１】
なお、この巻上機取付装置１は、リニューアル工事などにより、既設の巻上機を降ろす場合にも使用することができる。この場合、回動梁１３と巻上機固定梁１１との間に挿入されるスペーサ１８を取り替える（または取り外す）ことによって巻上機揚重治具１０の装着面１１ａを巻上機据付台４の設置面４ａに対して同じかやや低く設定する。このようにすることで、巻上機据付台４から巻上機揚重治具１０側へ、巻上機５をスライド移動させやすくなる。そして、上述の巻上機取付方法の工程を逆にたどることで、巻上機５を巻上機据付台４から容易に降ろすことができる。
【００３２】
本実施形態において、第１吊元６と第１吊部１５の間に掛けられる第１揚重状態の第１揚重機としてウインチ３０を使用し、第２吊元７と第２吊部１６の間に掛けられる第２揚重状態の第２揚重機としてチェーンブロック４０を使用している。この場合、巻上機揚重治具１０は、回動シャフト１４と回動受部２１とが嵌合されることでブラケット２０に保持されている。したがって、第１揚重機としてのウインチ３０を第１揚重状態で使用した後、第２揚重状態に吊り変えて使用することができる。
【００３３】
また、滑車５０は、ブラケット２０に固定されるので、昇降路２内の適切な位置に滑車５０のサポートを確保できない場合にも対応することができる。
【００３４】
以上のように、巻上機取付装置１を用いることで、エレベータの昇降路２の天井３と巻上機５との間に揚重装置の吊代が十分に無い場合や、巻上機５に対して昇降路２の天井３の適正な位置に吊元を配置できない場合などでも、巻上機５を容易に揚げ降ろしすることができる。
【図面の簡単な説明】
【００３５】
【図１】本発明に係る一実施形態の巻上機取付装置を示す斜視図。
【図２】図１に示した巻上機取付装置の分解斜視図。
【図３】図1に示した巻上機揚重治具に巻上機を取り付け、回動受部を中心に回動させる状態を示す側面図。
【図４】図３に示した回動シャフトが回動受部に装着された状態を拡大した斜視図。
【図５】図２に示した巻上機取付装置のブラケットと巻上機揚重治具との連結部の他の形態を示す斜視図。
【図６】図１に示した巻上機取付装置を使って巻上機をエレベータ昇降路内に搬入する状態を示す図。
【図７】図６に示した状態から巻上機が取り付けられた巻上機揚重治具をウインチで吊上げる状態を示す図。
【図８】図７に示した状態から回動シャフトを回動受部に掛合させてチェーンブロックの下フックを第２吊部に掛けた状態を示す図。
【図９】図８に示した状態から巻上機が取り付けられた巻上機揚重治具を回動させて図３に示す状態にし、巻上機を巻上機据付台に移動させる状態を示す図。
【符号の説明】
【００３６】
１…巻上機取付装置、２…昇降路、３…天井、４…巻上機据付台、４ａ…設置面、５…巻上機、５ａ…底面、５ｂ…上面、６…第１吊元、７…第２吊元、１０…巻上機揚重治具、１１…巻上機固定梁、１１ａ…装着面、１１ｂ…ガイド、１３…回動梁、１４…回動シャフト（回動支持部）、１５…第１吊部、１６…第２吊部、１８…スペーサ（調整機構）、２０…ブラケット、２１…回動受部、２２…切欠部、２３…脱落防止片、２５…回動機構（回動支持部）、２６…回動片、２７…回動受部、３０…ウインチ（第１揚重機、揚重機器）、３１…一端側フック、３２…他端側フック、３１ａ、３２ａ…ワイヤロープ、４０…チェーンブロック（第２揚重機、揚重機器）、４１…上フック（一端側フック）、４２…下フック（他端側フック）、４２ｂ…チェーン、５０…滑車、Ａ…回動軸。
【図１】
2006062768.tif 000003
【図２】
2006062768.tif 000004
【図３】
2006062768.tif 000005
【図４】
2006062768.tif 000006
【図５】
2006062768.tif 000007
【図６】
2006062768.tif 000008
【図７】
2006062768.tif 000009
【図８】
2006062768.tif 000010
【図９】
2006062768.tif 000011